【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
パケットを送信することと、
前記パケットがエラーなしで受け取られたかどうかを判断することと、
もし前記パケットがエラーなしで受け取られた場合には、実効キャリア対干渉（Ｃ／Ｉ）セットポイントを減少させることと、
もし前記パケットがエラーなしで受け取られなかった場合には、前記実効Ｃ／Ｉセットポイントを増加させることと、そして
リシーブドパワーオーバーサーマル（ＲｐＯＴ）と前記実行Ｃ／Ｉセットポイントとに基づいて送信（ＴＸ）パワーを調整することと、
を備える、逆方向リンクパワー制御の方法。
【請求項２】
前記パケットがエラーなしで受け取られたかどうかを判断することは、パケットエラーがないことをそして前記パケットが紛失していないことを判断することを含む、請求項１記載の方法。
【請求項３】
受け取られていないデータパケットに対し否定応答（ＮＡＣＫ）メッセージを送信すること、
を更に備える、請求項２記載の方法。
【請求項４】
前記ＮＡＣＫメッセージに従って受け取られていない前記データパケットを再送信すること、
を更に備える、請求項３記載の方法。
【請求項５】
前記データパケットは１以上のタイムスロットで送信される、請求項３記載の方法。
【請求項６】
パケットを送信することと、
前記パケットがエラーなしで受け取られたかどうかを判断することと、
もし前記パケットがエラーなしで受け取られた場合には、実効キャリア対干渉（Ｃ／Ｉ）セットポイントを減少させることと、
もし前記パケットがエラーなしで受け取られなかった場合には、前記実効Ｃ／Ｉセットポイントを増加させることと、そして
リシーブドパワーオーバーサーマル（ＲｐＯＴ）が最大リシーブドパワーオーバーサーマル（ＲｐＯＴｍａｘ）よりも大きいかどうかを判断すること、
を備える、逆方向リンクパワー制御の方法。
【請求項７】
前記リシーブドパワーオーバーサーマル（ＲｐＯＴ）は受信信号パワーと熱雑音との間の比率である、請求項６記載の方法。
【請求項８】
もし前記ＲｐＯＴが前記ＲｐＯＴｍａｘよりも大きい場合は、ダウンコマンドを発行すること、を更に備える請求項６記載の方法。
【請求項９】
実効キャリア対干渉比（Ｃ／Ｉ）が前記セットポイントのための実効キャリア対干渉比（Ｃ／Ｉｓｐ）よりも小さいかどうかを判断すること、を更に備える請求項６記載の方法。
【請求項１０】
リシーブドパワーオーバーサーマル（ＲｐＯＴ）が最小リシーブドパワーオーバーサーマル（ＲｐＯＴｍｉｎ）よりも小さいかどうかを判断すること、を更に備える請求項９記載の方法。
【請求項１１】
もし前記実効キャリア対干渉比（Ｃ／Ｉ）が前記セットポイントのための前記実効キャリア対干渉比（Ｃ／Ｉｓｐ）よりも小さくない、又は前記リシーブドパワーオーバーサーマル（ＲｐＯＴ）が前記最小リシーブドパワーオーバーサーマル（ＲｐＯＴｍｉｎ）よりも小さくない場合は、ダウンコマンドを発行すること、を更に備える請求項１０記載の方法。
【請求項１２】
もし前記実効キャリア対干渉比（Ｃ／Ｉ）が前記セットポイントのための前記実効キャリア対干渉比（Ｃ／Ｉｓｐ）よりも小さく、且つ前記リシーブドパワーオーバーサーマル（ＲｐＯＴ）が前記最小リシーブドパワーオーバーサーマル（ＲｐＯＴｍｉｎ）よりも小さい場合は、アップコマンドを発行すること、を更に備える請求項１０記載の方法。
【請求項１３】
前記パケットがエラーなしで受け取られたかどうかを判断することと、
もし前記パケットがエラーなしで受け取られた場合には、実効キャリア対干渉（Ｃ／Ｉ）セットポイントを減少させることと、そして
もし前記パケットがエラーなしで受け取られなかった場合には、実効Ｃ／Ｉセットポイントを増加させること、
の前記ステップは、
外側ループパワー制御を備える、請求項１記載の方法。
【請求項１４】
パケットを送信することと、
前記パケットがエラーなしで受け取られたかどうかを判断することと、
もし前記パケットがエラーなしで受け取られた場合には、実効キャリア対干渉（Ｃ／Ｉ）セットポイントを減少させることと、そして
もし前記パケットがエラーなしで受け取られなかった場合には、前記実効Ｃ／Ｉセットポイントを増加させることと、
を備え、
前記の判断する、減少させる、および増加させるステップは、外側ループパワー制御を備えており、
もし前記リシーブドパワーオーバーサーマル（ＲｐＯＴ）が前記最小リシーブドパワーオーバーサーマル（ＲｐＯＴｍｉｎ）以下である場合は、前記外側ループパワー制御がディスエーブルされる、
逆方向リンクパワー制御の方法。
【請求項１５】
パケットを送信することと、
前記パケットがエラーなしで受け取られたかどうかを判断することと、
もし前記パケットがエラーなしで受け取られた場合には、実効キャリア対干渉（Ｃ／Ｉ）セットポイントを減少させることと、そして
もし前記パケットがエラーなしで受け取られなかった場合には、前記実効Ｃ／Ｉセットポイントを増加させることと、
を備え、
前記の判断する、減少させる、および増加させるステップは、外側ループパワー制御を備えており、
もし前記リシーブドパワーオーバーサーマル（ＲｐＯＴ）が前記最大リシーブドパワーオーバーサーマルＲｐＯＴｍａｘ以上の場合は、前記外側ループパワー制御がディスエーブルされる、
逆方向リンクパワー制御の方法。
【請求項１６】
パケットを送信することと、
前記パケットがエラーなしで受け取られたかどうかを判断することと、
もし前記パケットがエラーなしで受け取られた場合には、実効キャリア対干渉（Ｃ／Ｉ）セットポイントを減少させることと、そして
もし前記パケットがエラーなしで受け取られなかった場合には、前記実効Ｃ／Ｉセットポイントを増加させることと、
を備え、
前記の判断する、減少させる、および増加させるステップは、外側ループパワー制御を備えており、
もし前記リシーブドパワーオーバーサーマル（ＲｐＯＴ）が前記最小リシーブドパワーオーバーサーマル（ＲｐＯＴｍｉｎ）よりも大きく、且つ前記リシーブドパワーオーバーサーマル（ＲｐＯＴ）が前記最大リシーブドパワーオーバーサーマルＲｐＯＴｍａｘよりも小さい場合は、前記外側ループパワー制御がイネーブルにされる、
逆方向リンクパワー制御の方法。
【請求項１７】
パケットを送信するための手段と、
前記パケットがエラーなしで受け取られたかどうかを判断するための手段と、
もし前記パケットがエラーなしで受け取られた場合には、実効キャリア対干渉（Ｃ／Ｉ）セットポイントを減少させるための手段と、
もし前記パケットがエラーなしで受け取られなかった場合には、前記実効Ｃ／Ｉセットポイントを増加させるための手段と、そして
リシーブドパワーオーバーサーマル（ＲｐＯＴ）と前記実行Ｃ／Ｉセットポイントとに基づいて送信（ＴＸ）パワーを調整するための手段と、
を備える、無線通信デバイス。
【請求項１８】
パケットを送信するための手段と、
前記パケットがエラーなしで受け取られたかどうかを判断するための手段と、
もし前記パケットがエラーなしで受け取られた場合には、実効キャリア対干渉（Ｃ／Ｉ）セットポイントを減少させるための手段と、
もし前記パケットがエラーなしで受け取られなかった場合には、前記実効Ｃ／Ｉセットポイントを増加させるための手段と、そして
リシーブドパワーオーバーサーマル（ＲｐＯＴ）が最大リシーブドパワーオーバーサーマル（ＲｐＯＴｍａｘ）よりも大きいかどうかを判断するための手段と、
を備える無線通信デバイス。
【請求項１９】
もし前記ＲｐＯＴが前記ＲｐＯＴｍａｘよりも大きい場合は、ダウンコマンドを出すことを、更に備える請求項１８記載の無線通信デバイス。
【請求項２０】
無線通信システムにおける干渉を推定する方法を実行するようにプログラムされたプロセッサであって、前記方法は、
パケットを送信することと、
前記パケットがエラーなしで受け取られたかどうかを判断することと、
もし前記パケットがエラーなしで受け取られた場合には、実効キャリア対干渉（Ｃ／Ｉ）セットポイントを減少させることと、そして
もし前記パケットがエラーなしで受け取られなかった場合には、前記実効Ｃ／Ｉセットポイントを増加させることと、そして
リシーブドパワーオーバーサーマル（ＲｐＯＴ）と前記実行Ｃ／Ｉセットポイントとに基づいて送信（ＴＸ）パワーを調整することと、
を備える、
プロセッサ。
【請求項２１】
無線通信システムにおける干渉を推定する方法を実行するようにプログラムされたプロセッサであって、前記方法は、
パケットを送信することと、
前記パケットがエラーなしで受け取られたかどうかを判断することと、
もし前記パケットがエラーなしで受け取られた場合には、実効キャリア対干渉（Ｃ／Ｉ）セットポイントを減少させることと、
もし前記パケットがエラーなしで受け取られなかった場合には、前記実効Ｃ／Ｉセットポイントを増加させることと、そして
リシーブドパワーオーバーサーマル（ＲｐＯＴ）が最大リシーブドパワーオーバーサーマル（ＲｐＯＴｍａｘ）よりも大きいかどうかを判断することと、
を備える、
プロセッサ。
【請求項２２】
前記方法は、もし前記ＲｐＯＴが前記ＲｐＯＴｍａｘよりも大きい場合はダウンコマンドを発行することを更に備える、請求項２１記載のプロセッサ。
【請求項２３】
逆方向リンクパワー制御の方法を具現化するコンピュータ可読媒体であって、前記方法は、
パケットを送信することと、
前記パケットがエラーなしで受け取られたかどうかを判断することと、
もし前記パケットがエラーなしで受け取られた場合には、実効キャリア対干渉（Ｃ／Ｉ）セットポイントを減少させることと、そして
もし前記パケットがエラーなしで受け取られなかった場合には、前記実効Ｃ／Ｉセットポイントを増加させることと、そして
リシーブドパワーオーバーサーマル（ＲｐＯＴ）と前記実行Ｃ／Ｉセットポイントとに基づいて送信（ＴＸ）パワーを調整することと、
を備える、
コンピュータ可読媒体。
【請求項２４】
逆方向リンクパワー制御の方法を具現化するコンピュータ可読媒体であって、前記方法は、
パケットを送信することと、
前記パケットがエラーなしで受け取られたかどうかを判断することと、
もし前記パケットがエラーなしで受け取られた場合には、実効キャリア対干渉（Ｃ／Ｉ）セットポイントを減少させることと、
もし前記パケットがエラーなしで受け取られなかった場合には、前記実効Ｃ／Ｉセットポイントを増加させることと、そして
リシーブドパワーオーバーサーマル（ＲｐＯＴ）が最大リシーブドパワーオーバーサーマル（ＲｐＯＴｍａｘ）よりも大きいかどうかを判断することと、
を備える、
コンピュータ可読媒体。
【請求項２５】
逆方向リンクパワー制御の方法を具現化する、請求項２４記載のコンピュータ可読媒体であって、前記方法は、もし前記ＲｐＯＴが前記ＲｐＯＴｍａｘよりも大きい場合はダウンコマンドを発行することを更に備える、コンピュータ可読媒体。